(57)【要約】【課題】スタンプを指定したい任意の形に均等に並べる作業を容易にし、Ｗｅｂブラウザあるいはウィンドウ上で文書作成操作を容易に行なえるようにする。【解決手段】画面１０１上に所定形状の図形を貼り付ける機能を有する情報処理装置であって、所定形状の図形のデータを記憶しておく記憶部１０７と、画面上の所定の位置を指示するポインティングデバイス１０５と、ポインティングデバイスの操作状態によって、記憶部に記憶されている所定形状の図形を画面上に貼り付ける方法を変更する変更部１０６とを具備する。【選択図】      図１
2005293474.tif 000002
【特許請求の範囲】
【請求項１】
画面上に所定形状の図形を貼り付ける機能を有する情報処理装置であって、
前記所定形状の図形のデータを記憶しておく記憶手段と、
前記画面上の所定の位置を指示するポインティングデバイスと、
前記ポインティングデバイスの操作状態によって、前記記憶手段に記憶されている前記所定形状の図形を前記画面上に貼り付ける方法を変更する変更手段と、
を具備することを特徴とする情報処理装置。
【請求項２】
前記記憶手段は複数の形状の図形のデータを記憶しており、該複数の形状の図形から前記画面上に貼り付けるための任意の形状の図形を選択する選択手段をさらに具備することを特徴とする請求項１に記載の情報処理装置。
【請求項３】
前記ポインティングデバイスにより前記画面上の所定の範囲を指定した後に、該指定した所定の範囲内に既に貼り付けられた図形を、前記記憶手段に記憶されている他の図形と入れ替える入れ替え手段をさらに具備することを特徴とする請求項２に記載の情報処理装置。
【請求項４】
前記変更手段は、前記ポインティングデバイスが１クリック動作された場合には、該１クリックされた前記画面上の位置に前記所定形状の図形を１個貼り付け、前記ポインティングデバイスがＯＮされされたまま移動された場合には、該ポインティングデバイスがＯＮされた前記画面上の位置から所定間隔毎に前記所定形状の図形を前記ポインティングデバイスの軌跡に沿って複数貼り付けることを特徴とする請求項１に記載の情報処理装置。
【請求項５】
画面上に所定形状の図形を貼り付ける機能を有し、前記所定形状の図形のデータを記憶しておく記憶手段と、前記画面上の所定の位置を指示するポインティングデバイスとを備える情報処理装置を制御する方法であって、
前記ポインティングデバイスの操作状態によって、前記記憶手段に記憶されている前記所定形状の図形を前記画面上に貼り付ける方法を変更する変更工程を具備することを特徴とする情報処理装置の制御方法。
【請求項６】
前記記憶手段は複数の形状の図形のデータを記憶しており、該複数の形状の図形から前記画面上に貼り付けるための任意の形状の図形を選択する選択工程をさらに具備することを特徴とする請求項５に記載の情報処理装置の制御方法。
【請求項７】
前記ポインティングデバイスにより前記画面上の所定の範囲が指定された後に、該指定された所定の範囲内に既に貼り付けられた図形を、前記記憶手段に記憶されている他の図形と入れ替える入れ替え工程をさらに具備することを特徴とする請求項６に記載の情報処理装置の制御方法。
【請求項８】
前記変更工程では、前記ポインティングデバイスが１クリック動作された場合には、該１クリックされた前記画面上の位置に前記所定形状の図形を１個貼り付け、前記ポインティングデバイスがＯＮされされたまま移動された場合には、該ポインティングデバイスがＯＮされた前記画面上の位置から所定間隔毎に前記所定形状の図形を前記ポインティングデバイスの軌跡に沿って複数貼り付けることを特徴とする請求項５に記載の情報処理装置の制御方法。
【請求項９】
請求項５乃至８のいずれか１項に記載の制御方法をコンピュータに実行させることを特徴とするプログラム。
【請求項１０】
請求項９に記載のプログラムをコンピュータ読み取り可能に記憶したことを特徴とする記憶媒体。
【発明の詳細な説明】
【技術分野】
【０００１】
本発明は、キーボードおよびポインティングデバイスを利用し、図形・イメージ・文書などの入力を行なう入力編集、特に文書編集に関して、例えばスタンプを文書用紙上に貼り付ける場合に、その操作の容易化を図る技術に関するものである。
【背景技術】
【０００２】
近年、ＰＣ（パーソナルコンピュータ）および周辺デバイス（デジタルカメラ、イメージスキャナ、プリンタ等）の普及と、インターネット網の整備により、ユーザが容易にネットワークを繋ぐことが可能になり、Ｗｅｂブラウザを利用して文章、イメージ、写真、スタンプを組み合わせ編集し、年賀状、クリスマスマスカードなどオリジナルなカードを作成して、ネットでやり取りしたり、プリントアウトして郵送したりする機会が増えてきた。
【０００３】
ところで、従来この種の装置および方法に、スタンプ（デザイン素材：クリップアートとも呼ばれる）と一般的に呼ばれる図形を利用することが知られている。スタンプとは、予め用意された複数の図形を組み合わせて、一つのオブジェクトとして所定のフォーマットによってクループ化し、文書を編集するにあたりこれを利用して容易に上記カード類を作成するものである。
【０００４】
こうしたスタンプは、文書編集処理装置独自のフォーマットで作成されたり、あるいはオペレーションシステム（ＯＳ）によって、標準で用意されたフォーマットで提供され、描画編集領域の所定の位置にファイルから直接読み込まれたり（リンク）、コピーアンドペーストで描画編集領域に組み込まれるのが通常である。
【非特許文献１】Yamagata Yukiko、”Fire Works MXを使おう！”、”INDEX Page02何か描いてみよう”、[online]、２００２年、ユキプロジェクト、[平成１６年１月１９日検索]、インターネット＜ＵＲＬ : http://www.nation.co.jp/~yukipro/fireworks/index.html＞
【発明の開示】
【発明が解決しようとする課題】
【０００５】
しかしながら、従来の文書編集処理装置においては、スタンプなどのコンテンツをＷｅｂブラウザあるいはウィンドウ上の文書用紙ページ上へ貼り付け操作するような場合は、貼り付け対象を選択し、文書用紙上の任意の場所に、マウスで指定する操作のみで、連続した流れで円形や物の輪郭線上にスタンプを規則的に貼り付ける操作を、スタンプ１つずつ手操作で行う必要があり、スタンプを利用した文書作成操作の迅速性および正確性に欠けるという問題があった。
【０００６】
本発明は、上述した課題に鑑みてなされたものであり、その目的は、スタンプを指定したい任意の形に均等に並べる作業を容易にし、Ｗｅｂブラウザあるいはウィンドウ上で文書作成操作を容易に行なえるようにすることである。
【課題を解決するための手段】
【０００７】
上述した課題を解決し、目的を達成するために、本発明に係わる情報処理装置は、画面上に所定形状の図形を貼り付ける機能を有する情報処理装置であって、前記所定形状の図形のデータを記憶しておく記憶手段と、前記画面上の所定の位置を指示するポインティングデバイスと、前記ポインティングデバイスの操作状態によって、前記記憶手段に記憶されている前記所定形状の図形を前記画面上に貼り付ける方法を変更する変更手段と、を具備することを特徴とする。
【０００８】
また、この発明に係わる情報処理装置において、前記記憶手段は複数の形状の図形のデータを記憶しており、該複数の形状の図形から前記画面上に貼り付けるための任意の形状の図形を選択する選択手段をさらに具備することを特徴とする。
【０００９】
また、この発明に係わる情報処理装置において、前記ポインティングデバイスにより前記画面上の所定の範囲を指定した後に、該指定した所定の範囲内に既に貼り付けられた図形を、前記記憶手段に記憶されている他の図形と入れ替える入れ替え手段をさらに具備することを特徴とする。
【００１０】
また、この発明に係わる情報処理装置において、前記変更手段は、前記ポインティングデバイスが１クリック動作された場合には、該１クリックされた前記画面上の位置に前記所定形状の図形を１個貼り付け、前記ポインティングデバイスがＯＮされされたまま移動された場合には、該ポインティングデバイスがＯＮされた前記画面上の位置から所定間隔毎に前記所定形状の図形を前記ポインティングデバイスの軌跡に沿って複数貼り付けることを特徴とする。
【００１１】
また、本発明に係わる情報処理装置の制御方法は、画面上に所定形状の図形を貼り付ける機能を有し、前記所定形状の図形のデータを記憶しておく記憶手段と、前記画面上の所定の位置を指示するポインティングデバイスとを備える情報処理装置を制御する方法であって、前記ポインティングデバイスの操作状態によって、前記記憶手段に記憶されている前記所定形状の図形を前記画面上に貼り付ける方法を変更する変更工程を具備することを特徴とする。
【００１２】
また、この発明に係わる情報処理装置の制御方法において、前記記憶手段は複数の形状の図形のデータを記憶しており、該複数の形状の図形から前記画面上に貼り付けるための任意の形状の図形を選択する選択工程をさらに具備することを特徴とする。
【００１３】
また、この発明に係わる情報処理装置の制御方法において、前記ポインティングデバイスにより前記画面上の所定の範囲が指定された後に、該指定された所定の範囲内に既に貼り付けられた図形を、前記記憶手段に記憶されている他の図形と入れ替える入れ替え工程をさらに具備することを特徴とする。
【００１４】
また、この発明に係わる情報処理装置の制御方法において、前記変更工程では、前記ポインティングデバイスが１クリック動作された場合には、該１クリックされた前記画面上の位置に前記所定形状の図形を１個貼り付け、前記ポインティングデバイスがＯＮされされたまま移動された場合には、該ポインティングデバイスがＯＮされた前記画面上の位置から所定間隔毎に前記所定形状の図形を前記ポインティングデバイスの軌跡に沿って複数貼り付けることを特徴とする。
【００１５】
また、本発明に係わるプログラムは、上記の制御方法をコンピュータに実行させることを特徴とする。
【００１６】
また、本発明に係わる記憶媒体は、上記のプログラムをコンピュータ読み取り可能に記憶したことを特徴とする。
【発明の効果】
【００１７】
本発明によれば、スタンプを指定したい任意の形に均等に並べる作業を容易にし、Ｗｅｂブラウザあるいはウィンドウ上で文書作成操作を容易に行なえるようにすることができる。
【発明を実施するための最良の形態】
【００１８】
以下、本発明の好適な実施形態について、図面を参照して説明する。
【００１９】
（第１の実施形態）
＜装置の説明＞
図１は本発明の文書編集処理装置の第１の実施形態の構成を示すシステムブロック図である。
【００２０】
図１において、１０１はＣＲＴ（表示装置）であり、その表示画面には、例えば編集中の文書、図形、画像その他の編集情報、アイコン、メッセージ、メニューその他のユーザインターフェース情報が表示される。１０２はＶＲＡＭであり、ＣＲＴ１０１の表示画面に表示するための画像が描画される。このＶＲＡＭ１０２に生成された画像データは、所定の規定に従ってＣＲＴ１０１に転送され、これによりＣＲＴ１０１に画像が表示される。
【００２１】
１０３はビットムーブユニット(ＢＭＵ)であり、例えば、メモリ間（例えば、ＶＲＡＭ１０２と他のメモリ）のデータ転送や、メモリと各Ｉ／Ｏデバイス（例えば、ネットワーク・インターフェース１１１）との間のデータ転送を制御する。１０４はキーボードであり、文書等を入力するための各種キーを有する。１０５はポインティングデバイスであり、例えば、ＣＲＴ１０１の表示画面上に表示されたアイコン、メニューその他のオブジェクトを指示するために使用される。
【００２２】
１０６はＣＰＵであり、ＲＯＭ１０７、ハードディスク又はフロッピー（登録商標）ディスクに格納された制御プログラムに基づいてＣＰＵデバイスに接続された各デバイスを制御する。１０７はＲＯＭであり、各種の制御プログラムやデータを保持する。１０８はＲＡＭであり、ＣＰＵ１０６のワーク領域、エラー処理時のデータの退避領域、制御プログラムのロード領域等を有する。
【００２３】
１０９はハードディスクドライブ(ＨＤＤ)であり、ハードディスクに対するアクセスを制御する。１１０はフロッピー（登録商標）ディスクドライブ(ＦＤＤ)であり、フロッピー（登録商標）ディスクに対するアクセスを制御する。
【００２４】
１１１はネットワーク・インターフェイスであり、他の情報処理装置やプリンタ等とネットワーク１１３を介して通信を行うことができる。１１２はＣＰＵバスであり、アドレスバス、データバス及びコントロールバスを含む。ＣＰＵ１０６に対する制御プログラムの提供は、ＲＯＭ１０７、ハードディスク、フロッピー（登録商標）ディスクから行うこともできるし、ネットワーク１１３を介して他の情報処理装置等から行うこともできる。
【００２５】
図２は、アプリケーションソフトウェアとして提供された、実施形態のオリジナルカード作成装置を図１のシステム上で作動させた場合のＣＲＴ１０１に表示される前記ソフトウェアの説明図である。
【００２６】
＜アプリケーション画面の説明＞
図２において、２０１はアプリケーションソフトウェアである「Draw」のフレームウィンドウであり、２０２は文書用紙を示し、ここではイメージが背景に貼りつけられている。２０３は編集モードのステータスを表わし、そのステータスは、２０７で示す「スタンプモード」ボタン、２０８の「ペンモード」ボタン、２０９の「テキストモード」ボタンにより切り替わり、その選択された３つのモードを表わすものである。
【００２７】
２０４はスタンプタイプ１を示し、マウスによる１クリックで単発的に貼り付くスタンプ群である。２０５はスタンプタイプ２として、マウスクリックタイプによって、貼り付ける動作を切り替えることが可能なスタンプを表わし、マウス１クリックによって単発的に貼り付くスタンプ、およびマウスドラッグによって連続的に等間隔で貼り付くスタンプを切り替えできるスタンプ群である。
【００２８】
２０６は主にフォト（イメージ）の装飾として用いられるフォトフレーム群である。２１０は文書用紙２０２上に置かれた各オブジェクトを選択するための「選択モード」ボタンである。２１１は選択モードボタン２１０で選択したオブジェクトを消すための「消し」ボタンである。２１２は編集全般におけるUNDOを行うための「取り消し」ボタンである。
【００２９】
２１３は選択モードボタン２１０で選択したオブジェクトに対して、影を付けるためのスライダーであり、スライダーを右に設定するほど影が強く対象オブジェクトに設定される。２１４は選択モードボタン２１０で選択したオブジェクトに対して、透明度を設定するためのスライダーであり、スライダーを右に設定するほど透明度が増し対象オブジェクトに設定される。
【００３０】
２１５は現在の文書編集全体をリセットするリセットボタンを示し、２１６は文書編集状態を接続されているプリンタに出力するためのプリントボタン、２１７は本アプリケーションを終了するための終了ボタンを表す。２１８は文書用紙の背景に設定するイメージデータを番号別に割り当てた背景イメージ選択ボタンを表わしている。
【００３１】
図３は、本実施形態に係る文書編集処理装置におけるスタンプ貼り付け処理に関する概略動作を説明するフローチャートである。
【００３２】
ステップＳ３０１において図１、２の説明のように文書用紙２０２を開き、マウス１クリックおよびマウスドラッグによって、貼り付けタイプを切り替えることが可能なスタンプタイプ２（２０５）上の任意のスタンプを選択したかを判断する。そして、当該スタンプを選択した場合には、ステップＳ３０２によって選択したスタンプのスタンプ情報を取り出す。そして、ステップＳ３０３で文書用紙２０２上をマウスで選択した場合、ステップＳ３０４で、それがマウス１クリックと判断された場合には、ステップＳ３０５において、そのマウス１クリックポジションにステップＳ３０２で取得したスタンプ情報を貼り付ける。貼りついた状態を図４の４０１に示す。
【００３３】
ステップＳ３０６では、ステップＳ３０４でマウスクリックが１クリックと判断されなかった場合に、マウスのアクションがマウスドラッグＯＮ状態かどうかを判断する。マウスドラッグＯＮの場合には、ステップＳ３０７にて、まずマウスドラッグがＯＮされたポジションをマウスドラッグＳＴＡＲＴポジションとして判断し、ステップＳ３０２で取得したスタンプ情報をこのポジションに貼り付ける処理を行う。
【００３４】
続いて、ステップＳ３０８にて依然マウスがドラッグ中かの判断を行い、マウスがドラッグ中であればステップＳ３０９にて、前回貼り付けたスタンプのポジションと現マウスカーソルポジションが、予め文書設定項目で設定された距離に達しているかの判断を行なう。設定距離に達している場合にはステップＳ３１０にて、設定された距離位置に当該スタンプを貼り付ける処理を行う。そして、ステップＳ３１１にてマウスドラッグＯＦＦを判断した場合には、一連の処理を終了するものである。
【００３５】
上記のマウスドラッグにて、予め設定された等間隔距離で当該スタンプを、マウス軌跡上に貼り付けた状態を図５の５０１に示す。
【００３６】
図６は、図５の処理フロー中のステップＳ３０６におけるマウスドラッグＯＮ状態の検知からステップＳ３１１におけるマウスドラッグＯＦＦ状態の検知までの状態遷移を示す図である。
【００３７】
図６（Ａ）の６０１においては、まずマウスドラッグＯＮのポイントにスタンプが貼られている様子を表わしている。図６（Ｂ）の６０２では、図６（Ａ）のマウスドラッグＯＮのポイントからマウスドラッギングを行い、そのマウスの軌跡に予め設定された等距離間隔でスタンプが貼られている様子を表わしている。そして、図６（Ｃ）の６０３は、一連のマウスドラッギング操作の後にマウスドラッグＯＦＦを検知した状態を表わしている。
【００３８】
図７は、アプリケーションデータとしてＲＯＭ１０７上に展開されている、文書データの一部としての図形オブジェクト情報を表わしている。
【００３９】
図形ヘッダ情報７０１には図形情報全体の統合情報および後述する各図形情報へのアクセス情報が格納されている。７０２は文書用紙２０２上に置かれた図形オブジェクトの情報群である。これは、置かれた図形オブジェクトの個数分だけ図形オブジェクト１…ｎとして配置される。
【００４０】
図８（Ａ）、（Ｂ）、（Ｃ）は、図７の図形オブジェクト７０２の詳細情報を表わすものである。
【００４１】
まず、図８（Ａ）において８０１は図形オブジェクトの図形種別を表わす情報である。当該情報としては、１クリックスタンプ情報や連続スタンプ情報、ペン情報といった各図形オブジェクト種別を判断する情報が設定されることになる。８０２には、オブジェクトの貼りつく文書用紙２０２上の位置情報が設定される。８０３には、オブジェクトの外接矩形サイズが設定される。８０４はオブジェクト拡張情報として、たとえばオブジェクト回転情報やぼかし情報、影つき情報や透明度情報、連続スタンプ情報における等間隔情報などのオブジェクト編集に係る情報が拡張情報として設定される。８０５は図形固有データ群として、図形オブジェクトの生データである図形データの各情報が設定される。これは固有な情報であり、そのアプリケーションにおける固有な図形情報であったり、オペレーションシステムとして標準的な情報であったりもするものである。
【００４２】
次に、図８（Ｂ）において８１０は図８（Ａ）にて述べた図形オブジェクト情報で、図形種別８０１が１クリックスタンプ情報あるいは連続スタンプ情報である場合の例であり、このような情報である場合は、スタンプ拡張情報８１１が付随し内部の情報詳細は図８（Ｃ）に示すようになる。
【００４３】
連続スタンプ個数８２０は、１クリックスタンプ情報あるいは連続スタンプ情報で、文書用紙２０２上に貼り付けたスタンプの個数が設定される。８２１はスタンプが貼られた順番にその個数分スタンプ位置情報として設定される。
【００４４】
たとえば、１クリックスタンプ情報である場合は、８１０の内部情報として該当する図形情報８０１には、１クリックスタンプ情報が設定され、位置情報８０２には１クリックスタンプ情報で貼られたスタンプの文書用紙２０２上の位置情報が設定される。サイズ８０３には、貼られたスタンプの外接矩形サイズが設定される。スタンプに何らかの編集が加えられている場合にはオブジェクト拡張情報８０４に設定される。図形固有データ群８０５にはスタンプオブジェクトの生の図形情報が設定される。そしてスタンプ拡張情報８１１においては、連続スタンプ個数８２０に「１個」が設定されスタンプ位置情報８２１には、位置情報８０２と同じ情報が設定される。
【００４５】
続いて、連続スタンプ情報である場合は、８１０の内部情報として該当する図形情報８０１には、連続スタンプ情報が設定され、位置情報８０２には連続スタンプ情報で貼られたスタンプのＳＴＡＲＴポジションであるマウスドラッグＯＮ位置が文書用紙２０２上の位置情報として設定される。サイズ８０３には、貼られた連続したスタンプの外接矩形サイズが設定される。スタンプに何らかの編集が加えられている場合にはオブジェクト拡張情報８０４に設定される。図形固有データ群８０５にはスタンプオブジェクトの生の図形情報が設定される。そしてスタンプ拡張情報８１１においては、連続スタンプ個数８２０に連続に貼り付いたスタンプの個数が設定され、スタンプ位置情報８２１には、貼られたスタンプのＳＴＡＲＴからＥＮＤまでの位置情報がその個数分設定される。
【００４６】
図９は、スタンプオブジェクトの編集処理における選択処理ルーチンの概略動作を説明するフローチャートである。
【００４７】
ステップＳ９０１において文書用紙２０２上のスタンプオブジェクトを選択した場合、ステップＳ９０２ではステップＳ９０１において選択したスタンプに該当するＲＯＭ１０７上に展開されたスタンプオブジェクト情報を参照する。ステップＳ９０３において、選択スタンプが１クリックスタンプ情報である場合、ステップＳ９０４にて１クリックスタンプ情報を読み込む。また、連続スタンプ情報である場合、ステップＳ９０５にて連続スタンプ情報を読み込む。ステップＳ９０６にて、ステップＳ９０４及びステップＳ９０５において読み出された情報より対象のスタンプオブジェクトの選択範囲を決定する。図１０の１００１に示す選択範囲は、連続スタンプ情報で定義されたオブジェクトを表わし、１００１で選択されたオブジェクトに１００２の「かげ」を掛けた状態を表わすものである。
【００４８】
（第２の実施形態）
図１１は、連続スタンプ情報でスタンプ指定したオブジェクト１１０１を示し、そのスタンプを１１０２で設定した場合を表わすものである。
【００４９】
この第２の実施形態では、図１１に１１０１で示した連続スタンプ情報を、図２の選択モードボタン２１０を押下後に選択し、図２のスタンプタイプ２（２０５）の候補より設定スタンプと異なるスタンプ１２０２（図１２参照）を選択した場合に、１２０１のようにスタンプタイプを入れ替えることが可能である。図１１は入れ替え前、図１２は入れ替え後をそれぞれ画面の変化として表わしたものである。なお、１クリックスタンプ情報である、図２のスタンプタイプ１（２０４）に関しても、同じスタンプタイプ１の別の候補との入れ替えが、同様な操作方法で実現できる。
【００５０】
以上、説明したように上記の実施形態の文書編集処理装置によれば、スタンプオブジェクトを設定することが可能な電子文書において、同一なスタンプを等間隔に、そしてその間隔を変更可能に、マウスの軌跡に合わせて配置するようなケースの場合に、容易な操作でスタンプオブジェクトを配置することが可能になる。
【００５１】
また、マウスアクションを変えることで、今までの操作と同様にマウスクリックのポジションに、選択したスタンプオブジェクトを配置可能である。
【００５２】
また、編集モードに移行時には、マウスアクションの違いで、貼り付いたスタンプオブジェクト（連続スタンプと１クリックスタンプ）を、そのオブジェクトタイプによって選択領域を変化させ、選択中にそのスタンプグループに属するスタンプであれば、別のスタンプを選択することで、オブジェクトを入れ替えることができるものである。
【００５３】
上記の実施形態により、連続した操作で文書用紙上に貼り付けるスタンプを、単一あるいは連続というようにモード切替をマウスアクション１つで行うことが可能になるとともに、また編集モード中に、そのスタンプを他のスタンプに入れ替える作業もワンタッチで操作可能になり、ユーザの文書構成作業を迅速に行うための補助的な役割を果たすことが可能となる。
【００５４】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５６】
本発明を上記記憶媒体に適用する場合、その記憶媒体には、先に説明したフローチャートに対応するプログラムコードが格納されることになる。
【図面の簡単な説明】
【００５７】
【図１】本発明の文書編集処理装置の第１の実施形態の構成を示すシステムブロック図である。
【図２】第１の実施形態における画面の説明図である。
【図３】第１の実施形態に係る文書編集処理装置におけるスタンプ貼り付け処理の概略動作を説明するフローチャートである。
【図４】第１の実施形態においてスタンプオブジェクトを画面に貼り付けた状態を示す図である。
【図５】第１の実施形態においてスタンプオブジェクトを画面に貼り付けた状態を示す図である。
【図６】第１の実施形態においてスタンプオブジェクトを連続的に貼り付ける動作を説明する図である。
【図７】第１の実施形態における図形オブジェクト情報構造図である。
【図８】第１の実施形態における図形オブジェクト情報詳細構造図である。
【図９】第１の実施形態のスタンプオブジェクトの編集処理における選択処理ルーチンの概略動作を説明するフローチャートである。
【図１０】第１の実施形態における画面説明図である。
【図１１】第２の実施形態におけるスタンプオブジェクトの入れ替え前の状態を示す図である。
【図１２】第２の実施形態におけるスタンプオブジェクトの入れ替え後の状態を示す図である。
【符号の説明】
【００５８】
１０１  ＣＲＴ
１０２  ビデオＲＡＭ（ＶＲＡＭ）
１０３  ＢＭＵ
１０４  キーボード
１０５  ポインティングデバイス
１０６  ＣＰＵ
１０７  ＲＯＭ
１０８  作業用のＲＡＭ
１０９  ハードディスク
１１０  フロッピー（登録商標）ディスク
１１１  ネットワークインターフェース
１１２  Ｉ／Ｏバス
１１３  ネットワーク回線
【図１】
2005293474.tif 000003
【図２】
2005293474.tif 000004
【図３】
2005293474.tif 000005
【図４】
2005293474.tif 000006
【図５】
2005293474.tif 000007
【図６】
2005293474.tif 000008
【図７】
2005293474.tif 000009
【図８】
2005293474.tif 000010
【図９】
2005293474.tif 000011
【図１０】
2005293474.tif 000012
【図１１】
2005293474.tif 000013
【図１２】
2005293474.tif 000014